(57)【要約】【課題】狭いスペースに取り付け可能なワイヤー巻き取り機構を提供する。【解決手段】発明によるワイヤー巻き取り機構は、ワイヤー（２）が挿通された後に底部（１ａ）に固定される筒状部材（１）と、ワイヤー（２）が掛け渡される棒状部材（７）と、棒状部材（７）を上下方向に駆動する駆動部材（Ｌ、Ｒ）とを具備し、棒状部材（７）が下方向に移動することで、ワイヤー（２）の巻き取りを行うことを特徴とする。請求項２の発明によるワイヤー巻き取り機構は、請求項１において、棒状部材（７）が下方向に移動することで、ワイヤー（２）の巻き取りを行った後に、棒状部材（７）が上方向に移動して、ワイヤー（２）の垂れ下がり部を形成することを特徴とする。請求項３の発明によるワイヤー巻き取り機構は、請求項１において、ワイヤー（２）が、紐、糸、または釣り糸であることを特徴とする。【選択図】　　　図１
2004142910.tif 000002
【特許請求の範囲】
【請求項１】
ワイヤー（２）が挿通された後に底部（１ａ）に固定される筒状部材（１）と、
前記ワイヤー（２）が掛け渡される棒状部材（７）と、
前記棒状部材（７）を上下方向に駆動する駆動部材（Ｌ、Ｒ）とを具備し、
前記棒状部材（７）が下方向に移動することで、前記ワイヤー（２）の巻き取りを行うことを特徴とするワイヤー巻き取り機構。
【請求項２】
前記棒状部材（７）が下方向に移動することで、前記ワイヤー（２）の巻き取りを行った後に、前記棒状部材（７）が上方向に移動して、前記ワイヤー（２）の垂れ下がり部を形成することを特徴とする請求項１に記載のワイヤー巻き取り機構。
【請求項３】
前記ワイヤー（２）が、紐、糸、または釣り糸であることを特徴とする請求項１に記載のワイヤー巻き取り機構。
【発明の詳細な説明】
【０００１】
【発明の属する技術分野】
本発明は、射的ゲーム機に最適なワイヤー巻き取り機構に関する。
【０００２】
【従来の技術】
従来のワイヤー巻き取り機構は、プーリー等にワイヤーを巻き付ける機構が一般的であった。また、巻き取り後にワイヤーを開放する必要がある場合は、２つのプーリー等でワイヤーを挟んで巻き付け、巻き取り後に２つのプーリー等をクラッチ機構で離してワイヤーを開放するようにしていた。
【０００３】
【発明が解決しようとする課題】
しかしながら、従来のプーリー等にワイヤーを巻き付ける機構も、更に２つのプーリー等を開放する機構も、装置が大型化する欠点があり、射的ゲーム機に収納するには不向きとなる点で改善余地があった。
【０００４】
本発明は、上記の問題点に鑑みてなされたもので、狭いスペースに取り付け可能なワイヤー巻き取り機構を提供することを目的とする。
【０００５】
【課題を解決するための手段】
この目的を達成するために、請求項１の発明によるワイヤー巻き取り機構は、ワイヤー（２）が挿通された後に底部（１ａ）に固定される筒状部材（１）と、ワイヤー（２）が掛け渡される棒状部材（７）と、棒状部材（７）を上下方向に駆動する駆動部材（Ｌ、Ｒ）とを具備し、棒状部材（７）が下方向に移動することで、ワイヤー（２）の巻き取りを行うことを特徴とする。
【０００６】
請求項２の発明によるワイヤー巻き取り機構は、請求項１において、棒状部材（７）が下方向に移動することで、ワイヤー（２）の巻き取りを行った後に、棒状部材（７）が上方向に移動して、ワイヤー（２）の垂れ下がり部を形成することを特徴とする。
【０００７】
請求項３の発明によるワイヤー巻き取り機構は、請求項１において、ワイヤー（２）が、紐、糸、または釣り糸であることを特徴とする。
【０００８】
【発明の実施の形態】
以下、本発明の実施の形態を図面に基づいて説明する。
【０００９】
図１は、本発明によるワイヤー巻き取り機構の一実施形態を示す斜視図である。
【００１０】
図１において、発射メカ１には、その中心部にワイヤー２が挿通されている。ワイヤー２の一端（図１の右側）には弾３が固定されている。また、ワイヤー２の他端は、図３および図４に示すように、発射メカ１の底面１ａに固定されている。なお、ワイヤー２は、紐、糸、釣り糸等であっても良い。
【００１１】
発射メカ１は基台４上のレール４ａに載置され、レール４ａ上を移動するように構成されている。また、発射メカ１の下部１ｂには、六角柱５が挿通されている。六角柱５は、基台４上に載置された回転機構部６ａおよび６ｂによって両端が支持されている。回転機構部６ａおよび６ｂは六角柱５を支持すると共に、六角柱５を回転させることによって発射メカ１に弾３を発射させるように指示する機構である。
【００１２】
発射メカ１から弾３が発射された後は、弾３は図１の右上方に在る。この弾３を発射メカ１に取り込むようにワイヤー２を巻き取る機構について以下に説明する。
【００１３】
巻き取り機構は、巻き取りメカＬ、円柱状のバー７、および巻き取りメカＲとによって構成される。巻き取りメカＬおよび巻き取りメカＲは左右面対象であり、図２に巻き取りメカＬを拡大して示す。
【００１４】
巻き取りメカＬは、基台１０、モーター１１、および摺動台１２等によって構成されている。基台１０の上下位置には、２つのセンサー１０ａおよび１０ｂが設けられている。このセンサー１０ａおよび１０ｂは、フォトインターラプターで構成され、後述するように、遮蔽板１１ｃがフォトインターラプターを遮蔽することによってモーター１１（バー７）の終端位置を検出するようにしている。
【００１５】
基台１０の上下位置に形成された孔１０ｃには、ロッド１１ａが回転自在に軸紙される。ロッド１１ａはネジ切りされており、ロッド１１ａはモーター１１の回転軸の中心に螺合している。モーター１１は取付台１１ｂに固定されており、両者は一体となって図２の上下方向に移動する。取付台１１ｂには遮蔽板１１ｃが取り付けられており、遮蔽板１１ｃがフォトインターラプターを遮蔽することによってモーター１１の上下終端位置が検出される。
【００１６】
基台１０の上下位置に形成された孔１０ｄには、ガイドシャフト１２ａが固定される。ガイドシャフト１２ａは摺動台１２に挿通され、摺動台１２は図２の上下方向に摺動する。摺動台１２にはモーター１１と取付台１１ｂが収納され、摺動台１２の孔１２ｂにはバー７が固定される。従って、モーター１１が回転することによって摺動台１２がバー７と共に図２の上下方向に移動する。なお、バー７の他端（図２の右側）には巻き取りメカＲが存在するが、巻き取りメカＬおよび巻き取りメカＲは左右面対象であり、重複することとなる説明は省略する。
【００１７】
次に、図３〜図６により、ワイヤー巻き取り機構の動作について説明する。
【００１８】
図３は、発射メカ１から弾３が発射される前の待機時の状態を示している。このとき、ワイヤー２は発射メカ１からバー７に掛け渡され、下方に充分な垂れ下がり部を経由して発射メカ１の底面１ａに戻る状態となっている。
【００１９】
図４は、発射メカ１から弾３が発射された発射終了時の状態を示している。このとき、弾３が発射されることでワイヤー２は図４の右側に引き出され、図３に示した垂れ下がり部は無くなっている。
【００２０】
図５は、ワイヤー２の巻き取り途中の状態を示している。このときワイヤー２は、バー７が下方に下がることによって巻き取られ、弾３は上方に移動する。
【００２１】
図６は、ワイヤー２の巻き取りが終了した状態を示している。このときワイヤー２は、バー７が最下方に下がることによって巻き取られ、弾３は発射メカ１内に収納される。この図６に示す状態の後にバー７は上方に移動して、図３に示す位置まで戻って弾３の発射に備える。
【００２２】
以上で説明した実施形態によれば、リール状の物でワイヤーを巻き取らない構造としたので、発射時のワイヤーに抵抗が無く、発射時の弾３の勢いと飛距離が稼げる。また、リール状の物でワイヤーを巻き取らない構造としたので、クラッチ機構等の複雑な構造が要らなくなる効果が得られる。また、バー７が下方向に移動することでワイヤー２の巻き取りを行うようにしたので、発射メカ１の背面（図１の左下方向）における取り付けスペースを削減して、装置を薄型化することが可能となる。
【００２３】
【発明の効果】
以上のように、本発明のワイヤー巻き取り機構によれば、ワイヤー（２）が挿通された後に底部（１ａ）に固定される筒状部材（１）と、ワイヤー（２）が掛け渡される棒状部材（７）と、棒状部材（７）を上下方向に駆動する駆動部材（Ｌ、Ｒ）とを設け、棒状部材（７）が下方向に移動することで、ワイヤー（２）の巻き取りを行うようにしたので、狭いスペースに取り付け可能なワイヤー巻き取り機構を提供することが可能となる。
【図面の簡単な説明】
【図１】本発明によるワイヤー巻き取り機構の一実施形態を示す斜視図である。
【図２】本発明によるワイヤー巻き取り機構の一実施形態を示す斜視図である。
【図３】本発明によるワイヤー巻き取り機構の一実施形態を示す側面図である。
【図４】本発明によるワイヤー巻き取り機構の一実施形態を示す側面図である。
【図５】本発明によるワイヤー巻き取り機構の一実施形態を示す側面図である。
【図６】本発明によるワイヤー巻き取り機構の一実施形態を示す側面図である。
【符号の説明】
１　　発射メカ
１ａ　底面
１ｂ　下部
２　　ワイヤー
３　　弾
４　　基台
４ａ　レール
５　　六角柱
６ａ　回転機構部
７　　バー
１０　　基台
１０ａ　センサー
１０ｂ　センサー
１０ｃ　孔
１０ｄ　孔
１１　　モーター
１１ａ　ロッド
１１ｂ　取付台
１１ｃ　遮蔽板
１２　　摺動台
１２ａ　ガイドシャフト
１２ｂ　孔
【図１】
2004142910.tif 000003
【図２】
2004142910.tif 000004
【図３】
2004142910.tif 000005
【図４】
2004142910.tif 000006
【図５】
2004142910.tif 000007
【図６】
2004142910.tif 000008